(57)【要約】【課題】痰や唾などを受け容れて殺菌する携帯型痰唾袋を提供する。【解決手段】合成樹脂シートで前後厚みが小さい扁平な四角形状に形成された袋本体１と、袋本体１の内部にＶ字状に折り畳み収納されたシート状の吸水体３と、袋本体１の上端に左右間にわたって設けた袋口２と、袋本体１の上端に連設されて、袋口２を封じる蓋片７とを有する。吸水体３には、粉状の消毒剤９と、高吸水性ポリマー１０とが分散状に担持されている。【選択図】図１
2006326107.tif 000002
【特許請求の範囲】
【請求項１】
非透水性素材からなる袋本体（１）の内部に、水分を吸収する吸水体（３）を配してあり、
吸水体（３）が消毒剤（９）を含んでいることを特徴とする携帯型痰唾袋。
【請求項２】
紙、布帛、スポンジのうちから選ばれたシート状の吸水体（３）に、粉状の消毒剤（９）と高吸水性ポリマー（１０）とが分散状に担持されている請求項１記載の携帯型痰唾袋。
【請求項３】
紙、布帛、スポンジのうちから選ばれたシート状の吸水体（３）に、液状の消毒剤（９）が含浸されている請求項１記載の携帯型痰唾袋。
【請求項４】
粉粒状の吸水体（３）に、粉状の消毒剤（９）と高吸水性ポリマー（１０）とが混合されている請求項１記載の携帯型痰唾袋。
【請求項５】
吸水体（３）が、少なくとも２面の間に痰や唾などが受けられるよう、袋本体（１）内に折り畳み収納されている請求項２または３記載の携帯型痰唾袋。
【請求項６】
消毒剤（９）が、２種以上の消毒剤の混合物である請求項４または５記載の携帯型痰唾袋。
【請求項７】
袋本体（１）が、可撓性を有するシートで扁平な四角形状に形成されており、
袋本体（１）の袋口（２）が、左右方向にわたって設けられており、
袋本体（１）には、袋口（２）を封止する封口手段が設けられている請求項６記載の携帯型痰唾用袋。
【請求項８】
合成樹脂シートで前後厚みが小さい扁平な四角形状に形成された袋本体（１）と、
袋本体（１）の内部に、Ｖ字状に折り畳み収納されたシート状の吸水体（３）と、
袋本体（１）の上端に左右間にわたって設けた袋口（２）とを有し、
吸水体（３）に、粉状の消毒剤（９）と高吸水性ポリマー（１０）とが分散状に担持されていることを特徴とする携帯型痰唾用袋。
【請求項９】
袋本体（１）に、袋口（２）を封じる蓋片（７）が連設されている請求項８記載の携帯型痰唾袋。
【発明の詳細な説明】
【技術分野】
【０００１】
本発明は、吐いた痰、唾、涎などを受ける携帯型痰唾袋に関する。
【背景技術】
【０００２】
痰や唾などを路上に吐き捨てることを防止するために、痰や唾などを受ける携帯型痰唾袋は、例えば特許文献１ないし４に開示されている。そこでは、扁平な袋本体の内部に水分を吸収する吸水体を収容しておき、袋本体の袋口を介して吸水体で痰などを受け容れるようになっている。
【０００３】
具体的にみると、特許文献１、２では、袋本体の内部にシート状の吸水体を折り畳み収納している。特許文献３では、袋本体を高吸水性ポリマーで形成し、袋口が粘着剤で閉じられるようになっている。特許文献４では、袋本体の内部に消臭効果を有する高吸水性ポリマーを収納し、袋口にこれを閉じる蓋片を有する。
【０００４】
【特許文献１】実開昭５５−１２９２０１号公報（第２頁第２段落、第１図）
【特許文献２】実開昭６３−１０９１４７号公報（第２図）
【特許文献３】実開平３−９６８４２号公報（第２頁第２段落、第１図）
【特許文献４】実開平５−３５６７８号公報（段落番号０００８、図２）
【発明の開示】
【発明が解決しようとする課題】
【０００５】
人体から分泌される痰などには、空気感染をするある種の病原菌を含んでいることが少なくないが、従来の痰唾袋はせいぜい袋本体内に痰などを封入しているに過ぎない。
【０００６】
不使用時には袋口を粘着剤で封止するタイプでも、次の使用時に袋口を開けると、病原菌が空気中に飛散するおそれがある。
【０００７】
そこで本発明の目的は、袋内に受け容れた痰などを確実に吸着捕捉しながら、殺菌機能を発揮できる携帯型痰唾袋を提供することにある。
【課題を解決するための手段】
【０００８】
本発明に係る携帯型痰唾袋は、非透水性素材からなる袋本体１の内部に、水分を吸収する吸水体３を配してあり、吸水体３が消毒剤９を含んでいることを特徴とする。消毒剤９とは、殺菌作用、除菌作用または抗菌作用を有するものを意味する。
【０００９】
吸水体３としては、紙、布帛、スポンジのうちから選ばれた単層ないし複層のシート状体を用い、この吸水体３に粉状の消毒剤９と高吸水性ポリマー１０とを分散状に担持させることができる。布帛とは、吸水性を有する材質であれば特に限定されず、セルロース繊維や合成樹脂繊維からなる不織布、織布、編布のいすれでもよい。とくに吸水体３これ自体が、セルロース発泡高分子シートや高吸水性ポリマー繊維による布帛であってもよい。
【００１０】
吸水体３に担持させるべき高吸水性ポリマー１０としては、ポリアクリル酸塩、ポリアクリルアミド、ポリビニルアルコール、アクリル酸−アクリルアミド共重合体、ビニルアルコール−不飽和カルボン酸共重合体、イソブチレン−無水マレイン酸共重合体、メタクリル酸塩などをグラフト重合した網状重合体などを使用できる。
【００１１】
シート状の吸水体３に消毒剤９と高吸水性ポリマー１０とを担持させる手段としては、これらを吸水体３にバインダーで分散状に結着したり、表面全体に塗布するほか、吸水体３が複層であればシートサンドイッチ状に挟み込んでもよい。
【００１２】
シート状の吸水体３には液状の消毒剤９が含浸されていてもよい。かかる吸水体３は、Ｕ、レ、Ｖ、Ｎ、Ｍ、Ｗ字形など、少なくとも２面の間に痰などが受けられるよう、袋本体１内に折り畳み収納されていることが好ましい。
【００１３】
また、粉粒状の吸水体３に、粉状の消毒剤９と高吸水性ポリマー１０とが混合されていてもよい。粉粒状の吸水体３としては、植物系粉体、多孔珪酸ビーズ、ゼオライトまたは親水性のプラスチックパウダーなどを使用でき、セルロース系など親水性の合成樹脂繊維ウェッブも使用できる。必要に応じてトウモロコシ、米、芋などから得られる澱粉などの植物系粉体、無水珪酸、タルクまたはシリカビーズなどの鉱物系粉体、ポリエチレン、ポリプロピレン、ナイロンなどの合成樹脂粉体などを増量分散剤として使用してもよい。消毒剤９は、２種以上の消毒剤の混合物とすることが好ましい。
【００１４】
袋本体１は、可撓性を有するシート（フィルムを含む）で扁平な四角形状に形成されており、袋本体１に袋口２が左右方向に長く形成されており、袋本体１には袋口２を封じる封口手段が設けられている。
【００１５】
詳しくは、合成樹脂シートで前後厚みが小さい扁平な四角形状に形成された袋本体１と、袋本体１の内部に、Ｖ字状に折り畳み収納されたシート状の吸水体３と、袋本体１の上端に左右間にわたって設けた袋口２とを有し、吸水体３に、粉状の消毒剤９と高吸水性ポリマー１０とが分散状に担持されている。ここでの「Ｖ字状」とは、先にみたとおり２面間に痰などが受け容れ可能なＵ、Ｎ、Ｍ、Ｗ字状なども含む概念である。
【００１６】
袋本体１には、袋口２を封じる蓋片７を連設することができる。その蓋片７は、袋本体１を構成する前後の主面シート部６・６の一方のみから立ち上げ連出されていてもよい。
【発明の効果】
【００１７】
本発明の携帯型痰唾袋によれば、吸水体３が消毒剤９を含んでいるので、袋本体１内に受け容れた痰や唾などは消毒剤９で殺菌できる。したがって、袋口２を何回か開いて痰などを繰り返し受け容れても、生きた細菌などが空気中に飛散することを防止できる。
【００１８】
乾いた吸水体３に粉状の消毒剤９が分散状に担持されていると、吸水体３に唾などをより多く吸収できる。痰などのジェル状の分泌物は、吸水体３に吸収され難いが、吸水体３がこれに液状の消毒剤９を含浸するウェット状態であれば、消毒剤９が痰などと混ざり合い、効率よく消毒しながら吸収できる。
【００１９】
シート状の吸水体３が、断面Ｖ字状など少なくとも２面の間で痰などが受け容れられるよう、袋本体１内に折り畳み収納されていると、吸水性能および消毒効果を最大限に発揮できる。
【００２０】
痰や唾などは、袋本体１内の下部側に移動して溜まろうとするであろう。このとき、粉粒状の吸水体３であれば、痰などをムラなく全体で効率よく吸水し、消毒性能も良くなる。
【００２１】
消毒剤９が２種以上の混合物であれば、種々の細菌などに対応でき、殺菌スペクトルが向上する。吸水体３に高吸水性ポリマー１０が含まれていると、吸収（吸着）性能が飛躍的に向上する。
【００２２】
袋本体１の袋口２に封口手段が設けられていると、吸水体３や痰などが袋本体１から食み出すことがなく衛生的である。
【発明を実施するための最良の形態】
【００２３】
（実施例１）  図１および図２は、本発明に係る携帯型痰唾袋の実施例１を示す。符号１は前後方向の厚みが小さくて左右横長に形成された扁平な四角形状の袋本体である。袋本体１の上端には、左右間にわたって袋口２が設けられている。袋本体１内には、水分を吸収するシート状の吸水体３が収容されている。
【００２４】
袋本体１は、例えばポリエチレン、ポリプロピレンまたはポリエチレンテレフタレートなどの合成樹脂シートを使用でき、所定の大きさに裁断した四角形のシート材を前後方向中央部で２つ折りし、左右端部を上下間にわたって熱溶着して形成する。図１の符号５は、左右の熱溶着部を示す。
【００２５】
袋本体１を構成する前後の主面シート部６・６の上端には、左右間にわたって蓋片７・７が内折線Ｐ・Ｐを介して一体に連出されている。前後の蓋片７・７は、内折線Ｐ・Ｐを熱加工することによって内向き対向状に折り曲がるようくせ付けされており、上下に折り重なり合って袋口２を開閉自在に封じる。
【００２６】
コットンの不織布からなる吸水体３は、Ｖ字状に折り畳んだ状態で袋本体１に収納される。この吸水体３には、図２に示すごとく粉状の消毒剤９と高吸水性ポリマー１０とを分散状に担持させた。
【００２７】
消毒剤９としては酸化銀粉、銅粉、貝殻粉または珊瑚粉などを使用でき、これらを複数種混合して吸水体３に全体で１〜３０重量％分散させた。高吸水性ポリマー１０は、吸水体３に対して１〜２０重量％分散させた。
【００２８】
使用に際しては、袋本体１の袋口２の左右端を互いに接近する向きに押して蓋片７・７を起立させて袋口２を開き、袋本体１内に袋口２を介して痰や唾などを吐き出す。袋本体１内において、痰などは吸水体３に吸収されて消毒剤９で殺菌される。次に袋口２を開けても、生きた細菌などが空気中に飛散することはない。また、唾などの吐き容れ量が多くても、吸水体３に高吸水性ポリマー１０を分散させてあるので十分に吸収される。
【００２９】
上記の実施例１において、前後の蓋片７・７は不使用時に対向内面どうしが密着状に接合するだけでもよい。
【００３０】
（実施例２）  図３および図４は、本発明に係る携帯型痰唾袋の実施例２を示す。図３において袋本体１は上下の厚みが小さくて左右横長に形成された扁平な四角形状であり、袋本体１を構成する上下の主面シート部６・６のうち、上側に位置する主面シート部６の前後方向中央部位に、袋口２を左右間にわたって設け、袋口２の前後の開口縁部６ａ・６ａが上下に重合して袋口２を閉じるようになっている。袋本体１の内部には、シート状の吸水体３が図４に示すごとく蟹折り形に折り畳んだ状態で収納されている。
【００３１】
この場合の袋本体１は、所定寸法の四角形に裁断した樹脂シートを、上面側において前後両端が一部重なる状態で折り曲げ、左右両端部を熱溶着して得られる。その他は先の実施例１と同様であるので、同じ部材に同じ符号を付してその説明を省略する。
【００３２】
（実施例３）  図５は、本発明に係る携帯型痰唾袋の実施例３を示す。図５において袋本体１は、上下方向の厚みが小さい左右横長に形成された扁平な四角形状であり、袋本体１の上側の主面シート部６には、前後の一側方寄り部位に左右横長の袋口２が形成されている。袋口２は、これより大きい寸法のシール蓋１１で開閉自在に封止される。シール蓋１１は、袋本体１の上側の主面シート部６に粘着剤で剥離自在である。
【００３３】
袋本体１の内部にはシート状の吸収体３をレ字状に折り畳み収納し、吸収体３に液状の消毒剤９を含浸させた。液状の消毒剤９としては、７０〜８０ｖｏｌ％のエタノールやイソピルアルコールなどの各種アルコール類、0.０１〜3.０ｖｏｌ％の塩化ベンザルコニウム、0.０１〜0.５ｖｏｌ％の塩化ベンゼトコニウム、0.０２〜0.１ｖｏｌ％のグルコン酸クロルヘキシジン、0.０１〜0.１ｖｏｌ％の次亜塩素酸ナトリウム、レンサ球菌、ブドウ球菌および淋菌に有効な0.０５〜0.２ｖｏｌ％のアクリノール、7.５〜１０ｖｏｌ％のポピドンヨード、約２ｖｏｌ％のグルタールアルデヒド、約２ｖｏｌ％のホルムアルデヒド、約２ｖｏｌ％の過酸化水素などの各種水溶液を使用でき、殺菌スペクトルを向上させるためにこれらを混合含浸している。例えば、上記濃度の塩化ベンザルコニウム、塩化ベンゼトコニウム、グルコン酸クロルヘキシジンまたは次亜塩素酸ナトリウムにアルコールを８０％以下で混合するとよい。
【００３４】
使用に際しては、シール蓋１１を剥がした後、袋口２を開いて袋本体１内に痰などを吐き出し、再びシール蓋１１で袋口２を封止する。本実施例では吸水体３に液状の消毒剤９が含浸されているが、袋口２がシール蓋１１で確り封止されているので、消毒剤９が揮発して吸水体３が乾燥するのをよく防止できる。その他は先の実施例２と実質的に同様であるので、その説明を省略する。
【００３５】
（実施例４）  図６は本発明に係る携帯型痰唾袋の実施例４を示す。本実施例の携帯型痰唾袋は、先の実施例３と同様の袋本体１に、粉状の吸水体３を収納した。粉状の吸水体３にはゼオライトを使用し、これに消毒剤９を１〜３０重量％、高吸水性ポリマー１０を１０〜５０重量％の割合で混合した。
【００３６】
この場合の携帯痰唾用袋は、粘着剤を袋本体１との接合面、すなわちシール蓋１１の外周部分のみに塗布しているので、袋本体１内の吸水体３がシール蓋１１に付着することはない。なお、その他は先の実施例３と同様であるので、その説明を省略する。
【００３７】
本発明に係る携帯型痰唾袋には、直接痰などを吐き出すだけでなく、鼻水などを拭いた使用済みティッシュを収納してもよい。この場合でも、ティッシュに含まれている鼻水などを消毒できる。
【図面の簡単な説明】
【００３８】
【図１】実施例１の斜視図
【図２】実施例１の縦断側面図
【図３】実施例２の斜視図
【図４】実施例２の縦断側面図
【図５】実施例３の斜視図
【図６】実施例４の縦断側面図
【符号の説明】
【００３９】
１  袋本体
２  袋口
３  吸水体
７  蓋片
９  消毒剤
１０  高吸水性ポリマー
【図１】
2006326107.tif 000003
【図２】
2006326107.tif 000004
【図３】
2006326107.tif 000005
【図４】
2006326107.tif 000006
【図５】
2006326107.tif 000007
【図６】
2006326107.tif 000008